(57)【特許請求の範囲】
【請求項１】
金属板の裏面側に断熱材を設けた複数の屋根パネルを固定具で屋根下地に固定して形成される屋根において、複数の前記屋根パネルの表面側全体を被覆するカバー体を前記屋根パネルに載置して成る屋根であって、前記屋根パネルに形成されている山部の側面に係止部を設けると共に前記カバー体に形成されている山部の側面に被係止部を設け、前記係止部に前記被係止部を係止させて成ることを特徴とする屋根。
【請求項２】
屋根パネルがサンドイッチパネルであることを特徴とする請求項１に記載の屋根。
【発明の詳細な説明】
【技術分野】
【０００１】
本発明は、家屋や工場などの屋根であって、高い防水性能が要求される屋根に関するものである。
【背景技術】
【０００２】
従来より、図６に示すように、複数枚の屋根パネル１、１…を軒棟方向及びこれに直交する方向に並設して母屋などの屋根下地３に載設することによって屋根を形成することが行われている（例えば、特許文献１参照）。
【０００３】
図７に示すように、屋根パネル１は角波状に折り曲げられた金属外皮１０の裏面の略全面に発泡ウレタン樹脂などの合成樹脂層の断熱材１２が裏打ちされ、かかる断熱材１２の裏面にも金属外皮１１が裏打ちされている。そして、屋根パネル１の軒側においては裏面側の金属外皮１１及び断熱材１２が切除され、断熱材１２の軒側端面から金属外皮１０が延出されて重ね接続部１５が形成されている。かかる重ね接続部１５の長さは２００〜４００ｍｍ程度である。屋根パネル１の棟側においては、金属外皮１０、１１及び断熱材１２の端面が揃えられている。
【０００４】
図６に示すように、チャンネル材などの屋根下地３、３…は軒棟方向に間隔が隔てられて略平行に配設された母屋などであって、かかる屋根下地３、３…が緩やかに傾斜されて緩やかな屋根勾配が構成されるようになされている。そして、屋根パネル１，１同士を接続するのに、屋根下地３の上に軒側の屋根パネル１が載置され、この軒側の屋根パネル１の棟側端部の表面に、棟側の屋根パネル１の重ね接続部１５が重ね接続される。かかる場合、図８に示すように、棟側と軒側の屋根パネル１，１における接続箇所の下面に塞ぎ板３５が屋根下地３，３間にわたって敷設され、塞ぎ板３５の表面側で断熱材１２，１２の端面間に隙間ｄが構成される。そして、かかる隙間ｄに水密充填材３６を充填するのである。水密充填材３６は断熱材１２と同じ配合量の発泡ウレタン樹脂が好ましいが、他の材質のものでもよいものである。
【０００５】
また、重ね接続された重ね接続部１５においてセルフドリリングビス（テクス）などの固定具２をねじ込むのであり、周知の盲リベット４０にて固定するのである。図８中、３８はパッキン、２０はシーリングシートである。図９（ａ）は屋根パネル１の波方向（軒棟方向と直交する方向）の断面図を示し、図９（ｂ）はかかる方向の接続形態を示している。図中３９はパッキンである。
【０００６】
しかし、上記の屋根では、施工現場で屋根パネル１の断熱材１２の一部を除去して重ね接続部１５を形成したり、シーリングシート２０を屋根パネル１の表面に敷設したりしなければならず、施工が煩雑になるという問題があった。また、固定具２を屋根下地３にまで充分に打ち込まなかったり固定具２を屋根パネル１の厚み方向に対して傾いて打ち込んだりした場合では、重ね接続部１５とシーリングシート２０の間や隣接する屋根パネル１、１の嵌合部の間に隙間が発生し、隣接する屋根パネル１、１の継ぎ目２８から雨水が浸入し、防水性が低下する恐れがあった。また、シーリングシート２０、水密充填材３６、パッキン３８、３９の敷設不良による漏水の恐れがあった。
【特許文献１】特許第２６５１１０６号公報
【発明の開示】
【発明が解決しようとする課題】
【０００７】
本発明は上記の点に鑑みてなされたものであり、施工が煩雑にならずに防水性を確保することができる屋根を提供することを目的とするものである。
【課題を解決するための手段】
【０００８】
本発明の屋根は、金属板の裏面側に断熱材１２を設けた複数の屋根パネル１、１…を固定具２で屋根下地３に固定して形成される屋根において、複数の前記屋根パネル１、１…の表面側全体を被覆するカバー体４を前記屋根パネル１に載置して成る屋根であって、前記屋根パネル１に形成されている山部１３の側面に係止部５を設けると共に前記カバー体４に形成されている山部１７の側面に被係止部６を設け、前記係止部５に前記被係止部６を係止させて成ることを特徴とするものである。
【００１０】
また、本発明にあっては、屋根パネル１がサンドイッチパネルであることが好ましい。
【発明の効果】
【００１１】
本発明では、複数の屋根パネル１、１…の表面側全体を被覆するカバー体４を屋根パネル１に載置するので、隣接する屋根パネル１、１の継ぎ目及び固定具２をカバー体４で被覆することができ、屋根パネル１を屋根下地３に固定するための固定具２を屋根下地３に充分に打ち込まなかったり、屋根パネル１の厚み方向に対して傾いて打ち込んだりしたことが原因で、屋根パネル１、１の継ぎ目部分や固定具２の打ち込み部分に隙間が生じていても、その部分をカバー体４で被覆することによって屋根の防水性を確保することができるものである。また、従来の重ね接続部１５やシーリングシート２０が必要でなく、施工が煩雑にならないようにすることができるものである。しかも、屋根パネル１、１の継ぎ目部分や固定具２の打ち込み部分だけでなく、屋根全体をカバー体４で被覆することができ、防水性を向上させることができるものである。
【００１２】
また、屋根パネル１の係止部５とカバー体４の被係止部６とを係止してカバー体４を屋根パネル１に取り付けることができ、カバー体４の施工を簡単に行うことができるものである。
【００１３】
また、屋根パネル１としてサンドイッチパネルを用いることにより、屋根の断熱性と強度を向上させることができるものである。
【発明を実施するための最良の形態】
【００１４】
以下、本発明を実施するための最良の形態を説明する。
【００１５】
図２（ａ）（ｂ）に示すように、本発明で用いる屋根パネル１は金属板（金属外皮１０）の裏面側に断熱材１２を設けて断熱性を有する断熱パネルとして形成されるものであって、例えば、二枚の金属外皮１０、１１の間に断熱材１２を充填して形成されるサンドイッチパネルを用いることが強度向上の面などで好ましい。金属外皮１０、１１は、例えば、ステンレス鋼板、亜鉛めっき鋼板、塗装鋼板、ガルバリウム鋼板（登録商標）などの金属板で形成することができ、断熱材１２としては、例えば、ロックウールやグラスウールなどの無機繊維板あるいはフェノールフォームやウレタンフォームやイソシアヌレートフォームなどの樹脂発泡体などを用いることができる。尚、本発明では、屋根パネル１の金属外皮１０はカバー体４で覆われて外部から見えないので、余材で任意の色のものを採用することができる。
【００１６】
図１に示すように、屋根パネル１の上面には施工時に軒棟方向と略平行に向けて配置される複数本の山部１３が突設されている。この山部１３は断面略台形であって、図２（ａ）に示すように、その側面上部に凹溝状の係止部５が形成されている。また、屋根パネル１の両端部には山部１３よりも高さが低い接続山部１４が設けられており、この接続山部１４の幅寸法は山部１３の幅寸法の略半分に形成されている。尚、山部１３と接続山部１４は同じ高さであってもよく、山部１３と接続山部１４の高さ及び幅は適宜設定可能である。また、隣接する山部１３、１３の間及び隣接する山部１３と接続山部１４との間の部分は平坦な谷部１６として形成されている。
【００１７】
図１及び図２（ａ）（ｂ）に示すように、カバー体４は金属外皮１０、１１と同様の金属板を用いて折り曲げ加工等により形成されている。また、カバー体４の断面形状は上側の金属外皮１０とほぼ同等の形状を有しており、山部１３や接続山部１４を覆うための山部カバー部１７と、谷部１６を覆うための谷部カバー部１８とを交互に連設して形成されるものである。また、カバー体４の両端部には山部カバー部１７の略半分の幅寸法を有するカバー接続部１９が形成されている。山部カバー部１７とカバー接続部１９とは谷部カバー部１８よりも上面側に突出するように形成されている。尚、山部カバー部１７とカバー接続部１９がほぼ同一の幅寸法であっても良い。また、カバー体４の幅寸法（軒棟方向と直交する方向の寸法）は施工性や負圧等を考慮すると、金属外皮１０よりも幅狭（例えば、金属外皮１０の幅寸法の１／２）であることが好ましいが、金属外皮１０と同等かそれ以上であってもよく、特に制限はない。
【００１８】
そして、本発明の屋根を形成するにあたっては、次のようにして行う。まず、図１に示すように、屋根下地３に複数枚の屋根パネル１を載置する。ここで、屋根下地３は母屋などの建物の構造材などで構成することができる。また、軒棟方向に隣接する屋根パネル１、１を接続するにあたっては、図３に示すように、軒側の屋根パネル１の棟側端部と棟側の屋根パネル１の軒側端部とを突き合わせるようにする。また、図２（ｂ）に示すように、軒棟方向と直交する方向に隣接する屋根パネル１、１を接続するにあたっては、接続山部１４、１４同士を突き合わせるようにしているが、接続山部１４、１４の間には断熱性確保等のためにパッキン２１を介在させている。そして、接続山部１４及び一部の山部１３の上側からテクスや釘などの固定具２を屋根下地３にまで打ち込むことにより、図１に示すように、屋根パネル１、１…を屋根下地３に固定することができる。
【００１９】
上記のようにして複数枚の屋根パネル１、１…を屋根下地３に固定した後、図１に示すように、複数枚のカバー体４を屋根パネル１に載設する。ここで、カバー体４は施工現場において金属板から成形される。また、カバー体４は、施工される屋根の軒棟方向の全長と同等の長さを有するように形成するものである。従って、本発明では、屋根の軒棟方向と直交する方向に複数枚のカバー体４を並設することはあるが、屋根の軒棟方向においては、複数枚のカバー体４を並設せず、軒棟方向で継ぎ目のない一枚のカバー体４で被覆するのである。また、図２（ａ）に示すように、カバー体４はその被係止部６を屋根パネル１の係止部５に係止することによって、屋根パネル１に固定される。さらに、屋根の軒棟方向と直交する方向で隣接するカバー体４、４は、図２（ｂ）に示すように、カバー接続部１９、１９の端部同士をハゼ継ぎ２７で連結することによって接続することができる。尚、屋根の軒棟方向と直交する方向で隣接する屋根パネル１、１の接続山部１４、１４の間には、固定具２により屋根下地３に取り付けられた取付片２３が設けられており、この取付片２３の上端部をカバー接続部１９、１９の間に介在させて上記のようにハゼ継ぎ２７で連結するものであり、これにより、取付片２３を介してカバー体４、４を屋根下地３にビスなどの固定具を用いずに固定することができる。
【００２０】
そして、本発明の屋根は、図１に示すように、屋根下地３に固定した全ての屋根パネル１、１…の表面側（上面側）全体を被覆するようにして複数枚のカバー体４、４…を施工するものであり、これにより、軒棟方向及び軒棟方向と直交する方向で隣接する屋根パネル１、１の継ぎ目と固定具２とをカバー体４で被覆することができる。従って、屋根パネル１、１の継ぎ目部分や固定具２の打ち込み部分に隙間が生じていてもこれらをカバー体４で被覆することができ、固定具２を充分に打ち込まなかったり固定具２を傾いて打ち込んだりした場合でも、防水性を確保することができるものである。また、積雪量の多い地域では、すが漏れを防止することができる。さらに、本発明では、従来のようにの屋根パネル１に重ね接続部１５を形成したりシーリングシート２０を設けたりする必要が無く、この結果、従来に比べて屋根パネル１に対する加工や施工の手間を少なくすることができ、施工が煩雑にならないようにすることができる。
【００２１】
上記の実施の形態では、山部１３の側面上部に凹溝状の係止部５を設けるようにしたが、これに限らず、図４に示すように、山部１３の上面に板状の係止部材２５を固定具２で取り付け、山部１３の上面よりも外側（側方）に突出する係止部材２５の側端部で係止部５を形成するようにしても良い。
【００２２】
また、上記の実施の形態では、隣接するカバー体４、４はハゼ継ぎ２７により接続したが、これに限らず、図５に示すように、山部１３に係止して接続するようにしてもよい。この場合、カバー体４の両端部に断面略Ｕ字状のカバー接続部１９を形成し、カバー接続部１９の端部とこれに対向する位置とに被係止部６、６を形成し、隣接するカバー体４、４のうち、一方のカバー体４のカバー接続部１９を山部１３の上に被せると共にその被係止部６、６を山部１３の係止部５に係止し、この後、他方のカバー体４のカバー接続部１９を山部１３に被せたカバー接続部１９の上に被せると共にその被係止部６、６を山部１３に被せたカバー接続部１９の被係止部６の外側に係止するものである。また、上下に重なったカバー接続部１９、１９の間には水密パッキン２６を介在させる。このように接続すると、ハゼ継ぎのような折曲げ加工が不要であり、隣接するカバー体４、４の接続を容易に行うことができる。
【００２３】
本発明は新築家屋だけでなく、既存家屋の屋根を上記屋根パネル１として用いたリフォームにも採用することができる。
【図面の簡単な説明】
【００２４】
【図１】本発明の実施の形態の一例を示し、一部が破断した斜視図である。
【図２】（ａ）（ｂ）は同上の屋根パネルとカバー体の接続状態の一例を示す一部の断面図である。
【図３】同上の屋根パネルの軒棟方向の接続状態を示す一部の断面図である。
【図４】同上の屋根パネルとカバー体の接続状態の参考例を示す一部の断面図である。
【図５】同上の屋根パネルとカバー体の接続状態の他例を示す一部の断面図である。
【図６】従来例の屋根パネルの施工を示す一部の斜視図である。
【図７】（ａ）は従来例の分解斜視図、（ｂ）は従来例の棟側の屋根パネルを反転させた斜視図である。
【図８】従来例の屋根パネルの軒棟方向の接続状態を示す一部の断面図である。
【図９】（ａ）は従来の屋根パネルの波方向の断面図、（ｂ）は従来例の波方向の接続箇所の断面図である。
【符号の説明】
【００２５】
１  屋根パネル
２  固定具
３  屋根下地
４  カバー体
５  係止部
６  被係止部
【図１】
0004730687.tif 000002
【図２】
0004730687.tif 000003
【図３】
0004730687.tif 000004
【図４】
0004730687.tif 000005
【図５】
0004730687.tif 000006
【図６】
0004730687.tif 000007
【図７】
0004730687.tif 000008
【図８】
0004730687.tif 000009
【図９】
0004730687.tif 000010